(57)【要約】      （修正有）【課題】不使用時には支柱をテーブル、陳列棚等の天板又は底板から取外して、保管、運搬の便を図るようにした支柱構造を提供する。【解決手段】固定部６１０に回動部を嵌設する支柱構造において、固定部を構成する基盤６１が天板又は／及び底板に固着され、基盤に短筒状の嵌合突起を突設し、この嵌合突起の底面６２に開口溝６４を穿設するとともに、この開口溝の両側に、夫々緩やかに傾斜する螺旋面Ｓ２を形成し、回動部は支柱の端部に付設され、支柱のほぼ端部における直径方向に渡し板を橋絡し、この渡し板のほぼ中央にＴ字状のロック棒を立設し、固定部の嵌合突起を回動部における支柱の内周に挿嵌させるとともに、Ｔ字状のロック棒の係止棒を底面の開口溝に挿通させ、支柱を軸周りに回動させることで、係止棒が螺旋面に締付けられながら、固定部に回動部が係止される支柱構造を特徴とする。【選択図】図５
2010178771.tif 000002
【特許請求の範囲】
【請求項１】
固定部に回動部を嵌設する支柱構造において、
前記固定部を構成する基盤が天板又は／及び底板に固着され、
前記基盤に短筒状の嵌合突起を突設し、
この嵌合突起の底面に開口溝を穿設するとともに、
この開口溝の両側に、夫々緩やかに傾斜する螺旋面を形成し、
一方、前記回動部は支柱の端部に付設され、
前記支柱のほぼ端部における直径方向に渡し板を橋絡し、
この渡し板のほぼ中央にＴ字状のロック棒を立設し、
前記固定部の嵌合突起を前記回動部における前記支柱の内周に挿嵌させるとともに、
前記Ｔ字状のロック棒の係止棒を前記底面の前記開口溝に挿通させ、
かつ、前記支柱を軸周りに回動させることによって、
前記係止棒が前記螺旋面に締付けられながら、
前記固定部に前記回動部が係止される支柱構造であって、
前記螺旋面を角度１〜８度の範囲で傾斜させることを特徴とする支柱構造。
【請求項２】
前記螺旋面を段階的に傾斜させることを特徴とする請求項１記載の支柱構造。
【請求項３】
前記係止棒の前記螺旋面側に平坦部を設けることを特徴とする請求項１記載の支柱構造。
【発明の詳細な説明】
【技術分野】
【０００１】
本発明はテーブル等家具或いは陳列棚等の支柱構造であって、天板又は／及び底板に支柱を立設するに際し、ワンタッチで支柱を着脱可能にするためにロック機構を設けた支柱構造に関する。詳しくは、天板又は／及び底板に瞬時に支柱を立設してテーブル等家具或いは陳列棚等を組み立て、例えばテーブルを並べて特売場の開店、或いは展示会の設営をし、しかる後、期間が過ぎたら支柱を瞬時に取り外して分解し、速やかに次の会場の準備をすることを可能にする支柱構造であって、支柱をロックするための螺旋面の傾斜角度範囲を特定することによって、ロック機構が衝撃等によって外れ難いようにした支柱構造に関する。
【背景技術】
【０００２】
従来から、着脱自在の脚、或いは支柱を備えたテーブルが知られている。この従来のものは、脚の上端に取着した座板を、ボルト、ナットを使ってテーブルの底板裏面に着脱自在に固定させる方法を採っていた。また、座卓等であれば、底板と脚を蝶番で連結し、脚を折畳み自在にする方法も行われて来た。一方、日本は土地が狭いこともあり、土地の広さや形状に合せて店舗が作られていく。そして、限られた広さの店舗にできだけ多くの商品を並べる。そのために、テーブル、陳列棚等を配置して立体的に商品を並べて単位面積当たりの商品陳列の効率を上げることになる。また、陳列も年中固定したものではなく、例えば季節ごと、月ごと、或いは週間ごとに特売場を開店する等店舗内のレイアウトが変わる。そのために、テーブル、陳列棚の数が異なり、取り扱う商品アイテムも、陳列位置も必然的に変わらざるをえない。そこで、リースのテーブル、陳列棚を配置して変動するレイアウトに対応することになる。つまり、テーブル、陳列棚は固定したものではなく、用が済んだら返却することになる。このようにテーブル、陳列棚には、組み立て或いは分解の容易性が求められる。しかも、組み立てが短時間でできることが求められる。そこで、従来は、テーブル、陳列棚を立設するための一方のベース板にナットを溶接し、かつ、他方の支柱の先端にボルトを溶接して、ベース板に支柱を螺着する連結構造とする。そして、支柱の間に棚板を段積みして陳列棚を構成することが行われる。用済み後は、螺子を緩めてベース板と支柱に分解する。
【０００３】
このような陳列棚には数々の工夫がなされ、その中で次のような支柱構造に関する発明が提案されている。この発明は、左右の支柱と、その対向面に横架される横連結材を、堅固に、かつ体裁よく固定しうるようにした陳列棚等における支柱と横連結材との結合構造に関するもので、支柱と横連結材との係合部に側方を向く突っ張り力を与えて互いに強く係合させることにより、それらを堅固に結合するとともに、ボルト等が外部に露呈して見栄えが損なわれるのを防止しうるようにした、陳列棚等における支柱と横連結材との結合構造 を提供することを目的としている（特許文献１）。
【０００４】
また、他に着脱自在の脚を備えたテーブルが知られている。このものは、脚の上端に取着した座板を、ボルト、ナットを使ってテーブルの底板裏面に着脱自在に固定させる方法を採っていた。また、座卓等であれば、底板と脚を蝶番で連結し、脚を折畳み自在にする方法も行われて来た。本件出願人は、先に、家具の脚取付構造について、不使用時には、家具本体からその脚部を簡単に取外せて、家具の保管、移動に便であり、使用時には、極めて簡単かつ強固に脚部を取付けられるようにした、テーブル等の家具の脚取付け構造に関する発明を提案している（特許文献２）。この特許文献は、テーブル等の家具の脚部を、底板等の家具本体に着脱自在に取付ける為の構造であって、家具本体に固定させる基盤に、有底短筒状の嵌合突起を下向きに突設した固定部と、脚部の上端に設けられて、前記嵌合突起を緊密に挿嵌させる嵌合孔を備える被固定部とから成り、前記嵌合突起の底面には、筒の径方向に伸びるスリットを設けると共に、底面の上面は、前記スリットの両側端から夫々筒周方向に上向きに緩やかに傾斜する斜面に形成し、前記嵌合孔の底部には、前記スリットに挿嵌させ得る形状を備えて、その上端に前記斜面に当接させる掛止部を設けた掛止部材を突設し、前記掛止部を前記スリットに挿通させたうえ、前記脚部をその軸周りに回動させると、前記掛止部が前記斜面を次第に締付けて、前固定部と被固定部とが強固に係合される構成とする。
【先行技術文献】
【特許文献】
【０００５】
【特許文献１】特開平６−１６５６１７号公報
【特許文献２】特許第３４７４２６５号公報
【発明の概要】
【発明が解決しようとする課題】
【０００６】
以上の通りであって、特許文献１に代表されるように、従来のテーブル、陳列棚の支柱構造には、まとめると次のような問題点がある。
【０００７】
即ち、従来の支柱構造の問題点の第一は、天板に支柱を固着するにあたり、構造が複雑であり、簡単に支柱を取り外すことができない。そのために、テーブル、陳列棚がリース物件の場合、天板と支柱を分解して運搬し易くしたいという顧客のニーズに対応できない。或いは、展示場、特売場等で次のセールのための会場の準備をする際に、陳列棚、支柱部と天板とを分解するために時間がかかる。この他、陳列棚は底板と支柱を溶接などにより固着して分解できないものもある。その他、各支柱に１個以上のナットを締付けるので、螺脱する作業は甚だ繁雑であり、テーブル、陳列棚の台数が多い場合は、多くの時間と人手を要する。そして、支柱を天板に折畳み式に取付けたものは、その構造上、固定強度に問題があり、大型のテーブルには適せず、また、脚が円柱形の場合は連結構造が複雑になってしまう。
【０００８】
第二に、支柱或いは天板との連結構造がナットとボルトの螺着構造の場合、陳列棚と支柱部とを分解するために螺子を緩める時間がかかり撤去作業がスムーズにいかない。また、何度も、天板と支柱の分解を繰り返すうちに、螺子部の損傷あるいは摩耗によって螺子がゆるまず分解作業が容易でなく、組み立て或いは分解の際の即時性に欠けていた。
【０００９】
また、これらの連結金具は思いがけない衝撃によって、支柱が天板又は底板から外れる恐れがある。
【００１０】
そこで、本発明の支柱構造は、このような従来の抱える問題点を解決するためになされたもので、本発明の目的は、不使用時には支柱をテーブル、陳列棚等の天板及び／又は底板から取外して、保管、運搬の便を図るようにした支柱構造であって、支柱の取付け及び取外しを、ワンタッチで極力簡単、迅速、かつ確実に行うためにロック機構を設け、かつ、思いがけない衝撃等によってロックが外れる恐れの無いように工夫した支柱構造を提供することを目的とする。即ち、本発明は、不使用時には、本体からその支柱を簡単に取外すことができ、家具の保管、移動に便利であり、使用時には、極めて簡単かつ強固に支柱を取付けられるようにした、着脱自在の支柱構造に関する。
【課題を解決するための手段】
【００１１】
そこで、本発明者等は、支柱をベース板に瞬時に着脱自在に固定する手段として螺子締めの原理を応用することを着想し、この着想に基づき試作したところ、非常に使い勝手が良いという知見を得た。本発明の陳列棚はかかる知見を基に具現化したもので、請求項１の発明は、固定部に回動部を嵌設する支柱構造において、前記固定部を構成する基盤が天板又は／及び底板に固着され、前記基盤に短筒状の嵌合突起を突設し、この嵌合突起の底面に開口溝を穿設するとともに、この開口溝の両側に、夫々緩やかに傾斜する螺旋面を形成し、一方、前記回動部は支柱の端部に付設され、前記支柱のほぼ端部における直径方向に渡し板を橋絡し、この渡し板のほぼ中央にＴ字状のロック棒を立設し、前記固定部の嵌合突起を前記回動部における前記支柱の内周に挿嵌させるとともに、前記Ｔ字状のロック棒の係止棒を前記底面の前記開口溝に挿通させ、かつ、前記支柱を軸周りに回動させることによって、前記係止棒が前記螺旋面に締付けられながら、前記固定部に前記回動部が係止される支柱構造であって、前記螺旋面を角度１〜８度の範囲で傾斜させることを特徴とする。請求項２の発明は、請求項１の発明の上記特徴に加えて、前記螺旋面を段階的に傾斜させることを特徴とする。また、請求項３の発明は、請求項１の発明の上記特徴に加えて、前記係止棒の下側面に平坦部を設けることを特徴とする。
【発明の効果】
【００１２】
本発明による支柱構造によれば、以下に列挙するような実用上の優れた効果を奏する。第一に、天板又は／及び底板に支柱を取り付け、或いは、取外すには、天板又は／及び底板に固着された固定部の嵌合突起に、支柱の上端における回動部の内周を嵌め込んだ後、支柱を正、逆回転方向に回動させるだけで足りる。 そのために、ボルト、ナットを使って支柱を固定する従来技術に比べて、支柱の着脱操作を遥かに簡単、迅速に殆どワンタッチ操作で行える。 また、外したナットを保管する煩わしさも無くなる。 その上、スパナ等の着脱用工具は一切使わなくても済む。そして、 固定部と回動部とは、嵌合突起に形成した斜面が呈する楔作用によってロック棒が螺旋面に食い込むので、十分な連結強度を確保でき、支柱のぐら付きを防ぐことができる。さらに、支柱を固定する部位の螺旋面の傾斜角度範囲を特定することによって、ロック機構が思いがけない衝撃等によって天板又は底板から外れることを防ぐ効果がある。
【図面の簡単な説明】
【００１３】
【図１】本発明の実施例１に係るテーブルの斜視図である。
【図２】同上、陳列棚の斜視図である。
【図３】同上、図１における固着金具のＸ−Ｘ矢視断面図である。
【図４】同上、固着金具を分解した固定部及び回動部の斜視図である。
【図５】本発明の実施例２に係る固定金具の基盤の詳細図である。
【図６】同上、ロック棒の斜視図である。
【図７】同上、同上ロック棒の変形例の斜視図である。
【図８】同上、同上ロック棒の他の変形例を示す図である。
【図９】同上、同上ロック棒の他の変形例を示す図である。
【図１０】本発明の実施例３に係るテーブルの斜視図である。
【発明を実施するための形態】
【００１４】
本発明の実施の形態を、添付図面に示した本発明の実施例に基づいて以下に具体的に説明する。
【実施例１】
【００１５】
先ず、本発明の実施例１について、図１〜図４を参照しながら説明する。図１は、テーブルの斜視図である。図２は、陳列棚の斜視図である。図３は、図１における固定金具のＸ−Ｘ矢視断面図である。図４は、固着金具を分解した固定部及び回動部の斜視図である。
【００１６】
以下に、各種のイベント会場等で使われるテーブルに固定金具を適用した実施例について、図面を参照しながら説明する。図１に示したテーブル１００の４本の支柱２は、固定金具６を使用して天板１の裏面の４箇所に夫々連結され、しかも、支柱２は着脱自在に立設される。支柱２の下端には高さ調整用のアジャスター３が設けられる。陳列棚の場合はテーブルの場合と天地が逆になり、固定金具を使用することにより支柱が底板に連結される。図２に示すように、陳列棚２００において、固定金具６を使用することにより左右の支柱２は左右の底板４に夫々着脱自在に連結される。さらに、支柱２の軸方向に穿設した多数のスリット２１を利用して、棚５が多段に設けられる。
【００１７】
次に、固定金具の断面を図３に示すように、固定金具６は斜線で示す上方の固定部６１０と下方の回動部６２０とから構成される。また、夫々の詳細を図４（ａ）、（ｂ）に示し、下方の回動部６２０は支柱２の上端部に付設される。図４（ａ）に示すように、固定部６１０は基盤６１、この中央における本図の裏側方向に凹んだ短筒状の嵌合突起６３、その底面６２、この中央部に穿孔された開口溝６４から構成される。ここで、基盤６１の厚さは、３．２ｍｍ、４．５ｍｍ、６．０ｍｍ等である。一方、図４（ｂ）の回動部６２０は、支柱２の上端に構成され、支柱２の内周部を共通にする嵌合穴６６、内周直径方向に渡し板６５、この中央部にロック棒６７立設される。渡し板６５の厚さは、４．５ｍｍ、６．０ｍｍ、９．０ｍｍ等である。ここで、図３では固定部６１０の基盤６１は螺子止めによって天板１の裏面に固着された状態を示すが、溶接によって天板１に固着されることでもよい。或いは、固定部６１０の基盤６１と天板１とを一体構造にすることでも構わない。例えばプレス加工によって嵌合突起６３を有する基盤６１を天板１の裏面に成形することでもよい。その他、天板１の素材として３０〜５０ｍｍ程度の厚みのものを使用してこの裏面に凹みを形成し、この凹みに固定金具６を埋め込むことでもよい。天板１の裏面に固定金具６を埋め込むことで、固定金具が露出しないので見栄えが良い。また、埋め込むことによって天板の裏側に固定金具が出っ張らないので、製品同士がぶつかって傷付くようなことがない。
【００１８】
先ず、図４（ａ）に示す固定部６１０は、方形の基盤６１とその中央部に本図の裏側方向へ突出する嵌合突起６３を有し、基盤６１の周縁部に四箇所の螺用穴を設けている。本図の裏側へ嵌合突起６３が短筒状に突設され、この嵌合突起６３の凹んだ底面６２において、ほぼ中央を横切るように所定の長さと幅を有する細長い開口溝６４が穿設されている。そして、この開口溝６４の両側には、螺旋面Ｓ１、Ｓ１が夫々緩やかに傾斜するように形成されている。即ち、上半分の部位では、螺旋面Ｓ１は高い位置の左端部から方向Ｙ１の向きに緩やかに傾斜しながら下降し、一方、下半分の部位では螺旋面Ｓ１は高い位置の右端部から方向Ｙ２の向きに緩やかに傾斜しながら下降する。このように、螺旋面Ｓ１、Ｓ１は方向Ｙ１或いはＹ２の向きに夫々捩れるように傾斜する。
【００１９】
一方、図４（ｂ）に示す回動部６２０は支柱２のほぼ上端部分に構成される。つまり、支柱２のほぼ上端内周部は、固定部６１０の嵌合突起６３の外周部を嵌合させる嵌合穴６６となる。この嵌合穴６６の上端部から所定寸法だけ中に凹んだ位置において、渡し板６５が支柱２の内周直径方向に橋絡状に溶接されており、この渡し板６５はこの嵌合穴６６の行き止まりとなる。
【００２０】
固定部６１０に回動部６２０を固定する状態を図３に示し、その連結機構の詳細を説明する。回動部６２０を構成するロック棒６７は、細長い金属製の係止棒６７１の中央に短い金属製の垂直棒６７２をＴ字形に結合した形態を備えており、この垂直棒６７２の根元が渡し板６５の中央に溶接、固着されている。即ち、渡し板６５の中央部において、固定部６１０と回動部６２０とを掛止させるためのロック棒６７がＴ字状に立設されている。ここで、垂直棒６７２の直径は１２〜２０ｍｍであり、係止棒６７１の直径は６〜１２ｍｍであり、長さは支柱２の径に応じて１５〜１００ｍｍである。Ｔ字型の水平方向の係止棒６７１は楔状に傾斜した螺旋面Ｓ１に侵入、食い込むことによってロックされ、固定部６１０に回動部６２０が固着される。そのために、係止棒６７１を開口溝６４に挿通させた状態で、係止棒６７１の下側面が辛うじて螺旋面Ｓ１と干渉することなく螺旋面Ｓ１の上に突き出る程度に、垂直棒６７２の高さ寸法を設定する。
【００２１】
ここで、テーブル１００の製品仕様の例を示す。天板１は木製であり、一枚板、合板、或いは廃棄材を使用したパーティクルボードを芯材とした合板等を使用し、他にステンレス材、ポリエチレン、ポリプロピレン樹脂等を使用することもある。支柱２は外径６０．５ｍｍ、肉厚１．６ｍｍで、支柱２の高さは６７０〜９７０ｍｍの円筒管である。支柱２の外径として、他に７６．３、１０１．６ｍｍを使用することもある。陳列棚２００の場合は、外径５０．８ｍｍ、肉厚１．９ｍｍ、支柱の高さは１，３５０〜１，６００ｍｍ、或いは１８００〜２，１００ｍｍである。ベース板は厚さ４．５ｍｍのスチール製板で、４００〜５００ｍｍの大きさである。ベース板は表面が鏡面にならないように、ショットブラストを施して梨地模様とし、或いはヘアーライン模様とする。その他、陳列棚２００の支柱２として、他に一辺５０ｍｍの角パイプを使用することもある。支柱２はスチール、ステンレス又はアルミ製の円筒管であり、スチール製の場合はクロムメッキによる鏡面仕上げ、或いは、ショットブラスト処理を施した後クロムメッキをする。その他、黒色粉体塗装を施し、或いは、シルバー色を施すこと等により防錆効果を狙うこともある。また、テーブル及び陳列棚の固定金具の素材として、ステンレス材を使用する。
【００２２】
以上のように構成され、次に各部位の作用について説明する。
【００２３】
開口溝６４の両側には、夫々緩やかに傾斜する螺旋面Ｓ１、Ｓ１が形成されている。即ち、上半円の部位では、開口溝６４の螺旋面の高い位置である左端部から方向Ｙ１の向きに緩やかに捩れて傾斜しながら下降し、一方、下半円面の部位では開口溝６４の螺旋面の高い位置である右端部から方向Ｙ２の向きに緩やかに捩れて傾斜しながら下降する。ここで、螺旋面Ｓ１の傾斜角度の範囲は１〜８度が好ましかった。各種部材の寸法を変えて固定金具を試作し、試行錯誤を繰り返しながらロック強度に及ぼす最適の傾斜角度を追求した。その中で、支柱２の外径を５０．８ｍｍ、基盤６１の厚みを４．５ｍｍ、ロック棒６７の係止棒６７１の直径を６．５ｍｍで長さが３０ｍｍ、垂直棒６７２の直径を１２ｍｍとし、この場合、傾斜角度を１度にすることによって、係止棒６７１が螺旋面Ｓ１に食い込み易く、かつ、係止棒６７１が螺旋面Ｓ１から外れ難いことが分かった。即ち、傾斜角度を１度にすることによって、固定部６１０に支柱２を取付け易く、かつ、支柱２は固定部６１０から外れ難かった。次に、支柱２の外径を６０．５ｍｍ、基盤６１の厚みを３．２ｍｍ、係止棒６７１の直径を６．５ｍｍで長さを４０ｍｍ、垂直棒６７２の直径を１２ｍｍとし、この場合、傾斜角度を３．５度にすることによって、ロック棒６７の係止棒６７１が螺旋面Ｓ１に食い込み易く、かつ、係止棒６７１が螺旋面Ｓ１から外れ難いことが分かった。さらに、支柱２の外径を１３５ｍｍ、基盤６１の厚みを４．５ｍｍ、係止棒６７１の直径を９ｍｍで長さが１００ｍｍ、垂直棒６７２の直径を１８ｍｍとし、この場合、傾斜角度を８度にすることによって、ロック棒６７の係止棒６７１が螺旋面Ｓ１に食い込み易く、かつ、係止棒６７１が螺旋面Ｓ１から外れ難いことが分かった。即ち、固定部６１０に支柱２を取付け易く、かつ、支柱２は固定部６１０から外れ難かった。従って、テーブル１００或いは、陳列棚２００の支柱構造として螺旋面Ｓ１の傾斜角度の範囲を１〜８度にする目処が立った。以上のとおり、各種部材の最適寸法を選択し、かつ、螺旋面Ｓ１の傾斜角度の範囲を１〜８度の中から選択した角度を組み合わせることによって、天板１或いは底板４に支柱２を確実に固着すること可能となり、支柱２をテーブル１００、陳列棚２００に固着することができた。かつ、テーブル１００或いは、陳列棚２００から、支柱２を容易に取り外すことができた。
【００２４】
次に、固定金具の取り付けについて図３を参照しながら説明する。天板１に支柱２を固着するために、天板１に固着した固定部６１０の嵌合突起６３に合わせて、支柱２上端内周部の嵌合孔６６を挿嵌する。同時にロック棒６７の係止棒６７１を細長の開口溝６４に挿通させ、螺旋面Ｓ１の上面に突出させる。そして、回動部６２０側の支柱２を回動させると、係止棒６７１の回動に伴ってこの下側面は螺旋面Ｓ１に擦接しながら喰い込む。支柱２を僅かに捩るだけで、上方の天板１の固定部６１０に回動部６２０堅固に係合され、支柱２は殆どワンタッチに近い操作によって天板１に固着される。このように、雌螺子に雄螺子を締め付ける原理によって天板１に支柱２を固着できる。具体的には支柱２に螺子の１／４回転以下の回動を加えるだけで瞬時に締め付け、或いは、必要に応じて緩めることができる。この場合、ロック棒６７は雄螺子の作用をし、傾斜面Ｓが雌螺子の作用をする。ロック棒６７及び傾斜面Ｓは金属製なので、雄螺子、雌螺子同士が損傷することなく堅固に係合して支柱がぐらつくようなことがない。
【００２５】
例えば、特売期間が過ぎて用済みになったテーブル、陳列棚等を、コンパクトに分解して保管する場合は、支柱を取り付ける時とは逆向きに廻せば、支柱を極めて簡単、迅速に天板又は底板から外すことが出来る。また、支柱の回動操作を軽い力で行うためには、支柱の下端近くに小孔（図示なし）を設けて置き、この小孔に挿し込んだドライバーや梃となる棒等を廻すとよい。このように、本発明による固定金具を備えたテーブル、陳列棚等によれば、特売場等を開店し、しかる後、期間が過ぎたら支柱を瞬時に天板から取り外して分解し、速やかに次の会場の準備へ移る準備をすることができる。
【実施例２】
【００２６】
本発明の実施例２について、図５〜図９を参照しながら説明する。図５は、本実施例に係る固定部における基盤の詳細図である。図６は、ロック棒の斜視図である。図７は、ロック棒の変形例の斜視図である。図８は、ロック棒の他の変形例を示す図である。図９は、ロック棒の他の変形例を示す図である。
【００２７】
本実施例の実施例１との主たる相違点は、螺旋面の傾斜角度を段階的に変化させるところにある。その他、ロック棒の形状或いは係止棒と垂直棒の溶接固着の方法が異なるところにある。以下、実施例１と相違する箇所について主に説明する。
【００２８】
図５（ａ）に示すように、底面６２中央部の開口溝６４の上下に螺旋面Ｓ２、Ｓ２が形成されている。即ち、螺旋面Ｓ２、Ｓ２は、上半円の部位では、開口溝６４の上側の螺旋面の高い位置の左端部から方向Ｗ１の向きに緩やかに捩れて傾斜しながら下降し、一方、下半円面の部位では開口溝６４の螺旋面の高い位置の右端部から方向Ｗ２の向きに緩やかに捩れて傾斜しながら下降する。このように、底面６２は開口溝６４の両側の螺旋面Ｓ２、Ｓ２から構成される。ここで、上半分の螺旋面Ｓ２は左端部から方向Ｗ１の向きに一定の角度で傾斜するが、中心線ＣＬから斜線部扇型の角度Ｊの範囲で傾斜角度が変わり、それ以降はまた一定の角度で傾斜する。同様に、下半分の螺旋面Ｓ２は右端部から方向Ｗ２の向きに一定の角度で傾斜するが、中心線ＣＬから斜線扇型の角度Ｇの範囲で傾斜角度が変わり、それ以降はまた一定の角度で傾斜する。ここで、角度Ｊ、Ｇの範囲は４５〜６０度である。図５（ｂ）に、上側の螺旋面Ｓ２について、方向Ｗ１に沿った点Ａ、Ｂ、Ｃ、Ｄ、Ｅ、Ｆ、Ｇ、Ｈ矢視断面における傾斜角度を示す。点Ｂ、Ｃ、Ｄの間の傾斜は一定の角度Ｋで傾斜し、点Ｄ、Ｅの間は変わって角度Ｌで傾斜し、そして点Ｅ、Ｇの間は戻って角度Ｋで傾斜する。下側の螺旋面Ｓ２についても同様に、方向Ｗ２に沿って傾斜角度Ｋから変わって角度Ｌになり、そして戻って角度Ｋで傾斜する。この螺旋面Ｓ２の傾斜角度については試行錯誤を繰り返したが、角度Ｋを３．５度、角度Ｌを２．５度にすることによって、ロック状態が非常に良好になることを確認できた。このように螺旋面Ｓ２の傾斜角度を不連続に段階的に傾斜させることによって、支柱を天板に瞬時にロック、固着することができ、しかも、思いがけない衝撃等によってロック状態が解除されて、ついには、支柱が天板から外れて突然テーブルが崩れるようなことがない。
【００２９】
次に、Ｔ字状のロック棒について、種々の変形例を述べる。先ず、図６に示すように、ロック棒６７の係止棒６７１を面取る。係止棒６７１は丸棒を使用するが、楔状の螺旋面Ｓ２に食い込む部位をプレスによって押し潰して平坦部を形成した。同図（ａ）に示すように、係止棒６７１が螺旋面Ｓ２に食い込む下側面に平坦面６７１ａ、６７１ａ‘を形成する。また、係止棒６７１の側方から見た左右の面取りの状態を図（ｂ）に示す。係止棒６７１の断面が円形の場合、係止棒６７１の下側が螺旋面Ｓ２と線接触するが、本図のように長手方向の左右に夫々平坦面を形成することによって、係止棒６７１の下側の接触面が拡大する。このように平坦面を形成することによって、係止棒６７１と螺旋面Ｓ２同士が面接触の状態となり、ロック強度が向上するとともに思いがけない衝撃によって支柱が外れ難い等の効果を奏する。ここで、係止棒６７１の素材は直径６〜１２ｍｍであり、長さは支柱２の径に応じて１５〜１００ｍｍである。
【００３０】
次に、ロック棒の係止棒として扁平な板状材を使用した例を図７に示す。プロペラ状に左右を反対方向に捩った係止棒６７１の左右の平坦面６７１ｂ、６７１ｂ‘の下側面が楔状の螺旋面Ｓ２に食い込むので、係止棒６７１と螺旋面Ｓ２同士が面接触状態となり、ロック強度が向上するとともに衝撃によって外れ難い等の効果を奏する。
【００３１】
その他、ロック棒の係止棒として、前述の図７の場合と同様に左右を互いに反対側に捩った角材棒を使用した例を図８（ａ）に示し、係止棒６７１を側方から見た状態を図８（ｂ）に示す。この図８（ｂ）に示すように、係止棒６７１の断面は左右で互いに反対側に捩れる。左右の平坦面６７１ｃ、６７１ｃ‘の下側面が楔状の螺旋面Ｓ２に食い込むので、係止棒６７１と螺旋面Ｓ２同士が面接触状態となり、ロック強度が向上するとともに衝撃によって外れ難い等の効果を奏する。ここで、係止棒６７１の素材は一辺が７〜１２ｍｍであり、長さは支柱２の径に応じて１５〜１００ｍｍである。
【００３２】
最後に、ロック棒の係止棒と垂直棒をＴ字状に固着する方法について図９を参照しながら述べる。何れもロック棒を側方から見た状態を示し、図（ａ）は太い垂直棒６７２の上に細い係止棒６７１を溶接によって固着した例である。図（ｂ）の場合は、太い垂直棒６７２の上端面に凹みを設けてそこに細い棒６７１を埋め込んだ後、溶接によって固着したものである。下段の図（ｃ）の場合は、太い垂直棒６７２の上端面に細い角棒からなる係止棒６７１を溶接によって固着したものである。図（ｄ）の場合は、太い垂直棒６７２の上端面に凹みを設けて細い角棒からなる係止棒６７１を埋め込んだ後、溶接によって固着したものである。図（ｂ）、（ｄ）の場合、係止棒を垂直棒の端部に埋め込んだので係止棒が安定して固着される。従って、係止棒を螺旋面に食い込ませて支柱をロックする場合、支柱を乱暴に回動するようなことがあっても係止棒が溶接部から剥離、脱落する恐れがない。
【実施例３】
【００３３】
実施例１では、固定金具を使用して主に支柱を天板又は底板に固着することで説明したが、本実施例は他の実施の態様であり、図１０を参照しながら説明する。
【００３４】
本実施例の実施例１との主たる相違点は、固定金具を天板の他、底板にも支柱を固着し、かつ、支柱を双方から容易に取り外すことができるようにしたところにある。以下、実施例１と相違する箇所について主に説明する。
【００３５】
図１０に示すテーブル３００において、夫々固定金具６を使用することによって、上方は天板１に支柱２の上端部を固着し、一方、下方は底板４に支柱２の下端部を固着する。そして、使用後は、天板、底板及び支柱の３体へと瞬時に分解することができるので、運搬或いは保管の便を図ることができる。ここで、支柱２の直径は太く、直径７６．３、１０１．６、１３９、２１０及び２８０ｍｍ等の円筒管を使用する。
【産業上の利用可能性】
【００３６】
なお、本発明の固定金具の使途は、テーブル等家具、陳列棚等に限るものではなく、天板に支柱を着脱自在に固着する用途に適用させてもよい。例えば、天板の上で作業するために使用する作業台、机等に固定金具を使用することでも勿論よい。
【符号の説明】
【００３７】
１００、３００  テーブル
２００  陳列棚
１  天板
２  支柱
２１  スリット
３  アジャスター
４  底板
５  棚
６  固定金具
６１０  固定部
６２０  回動部
６１  基盤
６２  底面
６３  嵌合突起
６４  開口溝
６５  渡し板
６６  嵌合穴
６７  ロック棒、６７１  係止棒、６７２  垂直棒
６７１ａ、６７１ｂ、６７１ｃ、６７１ａ‘、６７１ｂ’、６７１ｃ‘  平坦面
Ｋ、Ｌ  角度
Ｓ１、Ｓ２  螺旋面
Ｙ１、Ｙ２  、Ｗ１、Ｗ２  方向
【図１】
2010178771.tif 000003
【図２】
2010178771.tif 000004
【図３】
2010178771.tif 000005
【図４】
2010178771.tif 000006
【図５】
2010178771.tif 000007
【図６】
2010178771.tif 000008
【図７】
2010178771.tif 000009
【図８】
2010178771.tif 000010
【図９】
2010178771.tif 000011
【図１０】
2010178771.tif 000012